(57)【要約】【課題】  砂地等の地盤が安定しないところでも強度を保つことができると共に、使用が終わったら、簡単に引き抜けるアンカーを提供する。【解決手段】  ロックピン１４を装着してロックすると、棒状部材１２の先端が筒状部材１１から突出される状態にロックされる。ロック状態では、抜止部材１３の切込部２４の周縁が棒状部材１２に当接し、抜止部材１３の回動範囲が規制される。ロック状態して、アンカー１を土中又は砂中に埋め込んだ後、少し引き抜くと、抜止部材１３が土中又は砂中で開いた状態となり、アンカー１を土中や砂中に強力に固定できる。ロックピン１４を引き抜いてロックを解除し、棒状部材１２を持ち上げると、抜止部材１３の回動の規制がなくなり、筒状部材１１と抜止部材１３とを一直線状にして、アンカー１を簡単に引き抜くことができる。【選択図】        図１
2007284968.tif 000002
【特許請求の範囲】
【請求項１】
筒状部材と、
前記筒状部材に挿通自在に挿入される棒状部材と、
前記筒状部材の先端に回動自在に枢支される抜止部材と、
前記筒状部材での前記棒状部材の動きをロックするロック機構とを備え、
前記ロック機構がロック状態のときには、前記棒状部材の先端が前記筒状部材から突出する位置にロックされ、前記抜止部材が前記棒状部材に当接して、前記抜止部材の回動範囲が規制され、
前記ロック機構のロックを解除し、前記棒状部材の先端を前記筒状部材内に収納すると、前記抜止部材の回動範囲の規制が解除され、前記抜止部材と前記筒状部材とが直線状に回動可能となる
ことを特徴とするアンカー。
【請求項２】
前記抜止部材は、前記筒状部材の先端に取付ブロックを介して回動自在に枢支されるようにしたことを特徴とする請求項１に記載のアンカー。
【請求項３】
前記取付ブロックには、２つの抜止部材が互いに相対向するように回動自在に枢支されるようにしたことを特徴とする請求項２に記載のアンカー。
【請求項４】
前記ロック機構は、ロックピンと、前記棒状部材に設けられた孔と、前記筒状部材に設けられた孔とを有し、
前記棒状部材の孔と前記筒状部材の孔とが対応するように前記棒状部材を位置させ、前記棒状部材の孔及び前記筒状部材の孔に連通して前記ロックピンを挿入するとロック状態となり、前記ロックピンを外すと、ロック解除状態となる
ことを特徴とする請求項１に記載のアンカー。
【請求項５】
前記ロック機構は、前記棒状部材に設けられた孔と、前記筒状部材と直交して連通する筒状突出部と、前記筒状突出部に往動自在に装着されたロックピンと、前記ロックピンを付勢するスプリングとを有し、
前記棒状部材の孔と前記筒状部材の筒状突出部とが対応するように前記棒状部材を位置させ、前記ロックピンを付勢させて、前記棒状部材の孔に前記ロックピンを挿入してロック状態となり、前記ロックピンを前記棒状部材の孔から外すと、ロック解除状態となる
ことを特徴とする請求項１に記載のアンカー。
【請求項６】
前記ロック機構は、前記棒状部材に設けられた溝部と、前記筒状部材と直交して連通する筒状突出部と、前記筒状突出部に往動自在に装着されたロックピンと、前記ロックピンを付勢するスプリングとを有し、
前記棒状部材の溝部と前記筒状部材の筒状突出部とが対応するように前記棒状部材を位置させ、前記ロックピンを付勢させて、前記棒状部材の溝部に前記ロックピンを係合してロック状態となり、前記ロックピンを前記棒状部材の溝部から外すと、ロック解除状態となる
ことを特徴とする請求項１に記載のアンカー。
【請求項７】
前記ロック機構は、前記棒状部材に埋設され、前記棒状部材から突出するロックピンと、前記ロックピンを付勢するスプリングと、前記筒状部材に設けられた孔と、前記筒状部材に設けられた押圧片とを有し、
前記棒状部材のロックピンと前記筒状部材の孔とが対応するように前記棒状部材を位置させ、前記棒状部材のロックピンを付勢させて、前記棒状部材のロックピンを前記筒状部材の孔に挿入して、ロック状態となり、前記押圧片により前記棒状部材のロックピンを押圧し、前記棒状部材のロックピンを前記筒状部材の孔から外すと、ロック解除状態となる
ことを特徴とする請求項１に記載のアンカー。
【請求項８】
前記ロック機構は、楕円開口部を有し、前記筒状部材に回動自在に取り付けられた回動ロック部と、前記筒状部材に設けられたロックピンと、前記ロックピンを付勢するスプリングと、前記棒状部材に設けられた孔とからなり、
前記楕円形開口部の短円の向きとロックピンの向きとが同方向となるように、回動ロック部材を回動させると、前記ロックピンが前記棒状部材の孔に挿入されてロック状態となり、
前記回動ロック部材の短円の向きとロックピンの向きとが異なるように前記回動ロックを回動させると、前記ロックピンが前記棒状部材の孔から外れ、ロック解除状態となる
ことを特徴とする請求項１に記載のアンカー。
【請求項９】
更に、先端側に着脱自在に被装するキャップ部を設けるようにしたことを特徴とする請求項１乃至８の何れかに記載のアンカー。
【発明の詳細な説明】
【技術分野】
【０００１】
本発明は、テントやターフを地面に固定するためのテント用ペグとして用いて好適なアンカーに関するもので、特に、砂地等の地盤が安定しないところでも、確実に強度を保つことができると共に、使用が終わったら、簡単に引き抜いて撤去できるようにしたものに関する。
【背景技術】
【０００２】
テント用ペグは、テントを組み立てる際に、テントの周囲の地面に打ち込み、テント支柱を支持するためのロープの端部を結びつけるためのアンカーである。テント用ペグとしては、一般的には、図１７に示すように、その頭部に逆Ｊ状のロープ取付部１０１を有し、その先端が尖った棒状のものが用いられている。そして、その先端から地面に、ハンマーで打ち付けて、ペグを地面に固定している。
【０００３】
ところが、このような従来のテント用ペグは、地面にハンマーで打ち付けて固定しているだけなので、砂地等の地盤が安定しないところでは、地面から簡単に抜けてしまうという問題がある。
【０００４】
そこで、例えば特許文献１に示されるような、羽展開式のアンカーを応用したテント用ペグを実現することが考えられる。羽展開式のアンカーは、特許文献１に示すように、棒状体の先端部に開閉自在のアンカー羽が枢支されており、棒状体を地中に打ち込み、少し引き抜くと、地中に打ち込まれた棒状体の先端部のアンカー羽が開き、堅固に地中に固定されるものである。
【特許文献１】特開２００３−３０６９３５号公報
【発明の開示】
【発明が解決しようとする課題】
【０００５】
ところが、このような羽展開式のアンカーは、地中に堅固に固定されるため、撤去することが難しいという問題がある。
【０００６】
つまり、テント用ペグの場合には、テントを撤去するときには、テント用ペグを簡単に引き抜いて、再利用できることが望まれる。例えば、特許文献１の場合には、アンカーを引き抜く場合には、アンカー羽が閉じるまでアンカー付杭を打ち込み、アンカー羽を閉じた後に、引き抜き治具を付けて、アンカーが広がることがないようにしている。しかしながら、このような引き抜き治具を用いた作業では、アンカーを簡単に引き抜くことができない。
【０００７】
本発明は、上述の課題を鑑み、砂地等の地盤が安定しないところでも、確実に強度を保つことができると共に、使用が終わったら、簡単に引き抜くことができるアンカーを提供することを目的とする。
【課題を解決するための手段】
【０００８】
上述の課題を解決するために、本発明のアンカーは、筒状部材と、筒状部材に挿通自在に挿入される棒状部材と、筒状部材の先端に回動自在に枢支される抜止部材と、筒状部材での棒状部材の動きをロックするロック機構とを備え、ロック機構がロック状態のときには、棒状部材の先端が筒状部材から突出する位置にロックされ、抜止部材が棒状部材に当接して、抜止部材の回動範囲が規制され、ロック機構のロックを解除し、棒状部材の先端を筒状部材内に収納すると、抜止部材の回動範囲の規制が解除され、抜止部材と筒状部材とが直線状に回動可能となることを特徴とする。
【０００９】
好ましくは、抜止部材は、筒状部材の先端に取付ブロックを介して回動自在に枢支されるようにしたことを特徴とする。
【００１０】
好ましくは、取付ブロックには、２つの抜止部材が互いに相対向するように回動自在に枢支されるようにしたことを特徴とする。
【００１１】
好ましくは、ロック機構は、ロックピンと、棒状部材に設けられた孔と、筒状部材に設けられた孔とを有し、棒状部材の孔と筒状部材の孔とが対応するように棒状部材を位置させ、棒状部材の孔及び筒状部材の孔に連通してロックピンを挿入するとロック状態となり、ロックピンを外すと、ロック解除状態となることを特徴とする。
【００１２】
好ましくは、ロック機構は、棒状部材に設けられた孔と、筒状部材と直交して連通する筒状突出部と、筒状突出部に往動自在に装着されたロックピンと、ロックピンを付勢するスプリングとを有し、棒状部材の孔と筒状部材の筒状突出部とが対応するように棒状部材を位置させ、ロックピンを付勢させて、棒状部材の孔にロックピンを挿入してロック状態となり、ロックピンを棒状部材の孔から外すと、ロック解除状態となることを特徴とする。
【００１３】
好ましくは、ロック機構は、棒状部材に設けられた溝部と、筒状部材と直交して連通する筒状突出部と、筒状突出部に往動自在に装着されたロックピンと、ロックピンを付勢するスプリングとを有し、棒状部材の溝部と筒状部材の筒状突出部とが対応するように棒状部材を位置させ、ロックピンを付勢させて、棒状部材の溝部にロックピンを係合してロック状態となり、ロックピンを棒状部材の溝部から外すと、ロック解除状態となることを特徴とする。
【００１４】
好ましくは、ロック機構は、棒状部材に埋設され、棒状部材から突出するロックピンと、ロックピンを付勢するスプリングと、筒状部材に設けられた孔と、筒状部材に設けられた押圧片とを有し、棒状部材のロックピンと筒状部材の孔とが対応するように棒状部材を位置させ、棒状部材のロックピンを付勢させて、棒状部材のロックピンを筒状部材の孔に挿入して、ロック状態となり、押圧片により棒状部材のロックピンを押圧し、棒状部材のロックピンを筒状部材の孔から外すと、ロック解除状態となることを特徴とする。
【００１５】
好ましくは、ロック機構は、楕円開口部を有し、筒状部材に回動自在に取り付けられた回動ロック部と、筒状部材に設けられたロックピンと、ロックピンを付勢するスプリングと、棒状部材に設けられた孔とからなり、楕円形開口部の短円の向きとロックピンの向きとが同方向となるように、回動ロック部材を回動させると、ロックピンが棒状部材の孔に挿入されてロック状態となり、回動ロック部材の短円の向きとロックピンの向きとが異なるように回動ロックを回動させると、ロックピンが棒状部材の孔から外れ、ロック解除状態となることを特徴とする。
【００１６】
好ましくは、更に、先端側に着脱自在に被装するキャップ部を設けるようにしたことを特徴とする。
【発明の効果】
【００１７】
本発明によれば、筒状部材と、筒状部材に挿通自在に挿入される棒状部材と、筒状部材の先端に回動自在に枢支される抜止部材と、筒状部材での棒状部材の動きをロックするロック機構とを備え、ロック機構がロック状態のときには、棒状部材の先端が筒状部材から突出する位置にロックされ、抜止部材が棒状部材に当接して、抜止部材の回動範囲が規制され、ロック機構のロックを解除し、棒状部材の先端を筒状部材内に収納すると、抜止部材の回動範囲の規制が解除され、抜止部材と筒状部材とが直線状に回動可能となるようにしている。これにより、埋設時には、ロック機構をロック状態として、筒状部材及び棒状部材を土中又は砂中に埋め込み、筒状部材及び棒状部材を引き上げて抜止部材が開くように回動させて、アンカーを土中や砂中に強力に固定させることができる。引き抜き時には、ロック機構をロック解除状態とし、抜止部材と筒状部材とを直線状に回動させて、アンカーを簡単に引き抜くことができる。
【００１８】
また、本発明によれば、抜止部材は、筒状部材の先端に取付ブロックを介して回動自在に枢支されるようにしている。このため、複数の抜止部材を筒状部材の先端に取り付けることができる。
【００１９】
また、本発明によれば、取付ブロックには、２つの抜止部材が互いに相対向するように回動自在に枢支されるようにしている。これにより、より強固に抜け止めが行える。
【００２０】
また、本発明によれば、ロック機構は、ロックピンと、棒状部材に設けられた孔と、筒状部材に設けられた孔とを有し、棒状部材の孔と筒状部材の孔とが対応するように棒状部材を位置させ、棒状部材の孔及び筒状部材の孔に連通してロックピンを挿入するとロック状態となり、ロックピンを外すと、ロック解除状態となるようにしている。これにより、棒状部材の筒状部材内での移動を簡単にロック状態又はロック解除状態に設定することができる。
【００２１】
また、本発明によれば、ロック機構は、棒状部材に設けられた孔と、筒状部材と直交して連通する筒状突出部と、筒状突出部に往動自在に装着されたロックピンと、ロックピンを付勢するスプリングとを有し、棒状部材の孔と筒状部材の筒状突出部とが対応するように棒状部材を位置させ、ロックピンを付勢させて、棒状部材の孔にロックピンを挿入してロック状態となり、ロックピンを棒状部材の孔から外すと、ロック解除状態となるようにしている。これにより、棒状部材の筒状部材内での移動を簡単にロック状態又はロック解除状態に設定することができる。
【００２２】
また、本発明によれば、ロック機構は、棒状部材に設けられた溝部と、筒状部材と直交して連通する筒状突出部と、筒状突出部に往動自在に装着されたロックピンと、ロックピンを付勢するスプリングとを有し、棒状部材の溝部と筒状部材の筒状突出部とが対応するように棒状部材を位置させ、ロックピンを付勢させて、棒状部材の溝部にロックピンを係合してロック状態となり、ロックピンを棒状部材の溝部から外すと、ロック解除状態となるようにしている。これにより、棒状部材の筒状部材内での移動を簡単にロック状態又はロック解除状態に設定することができる。
【００２３】
また、本発明によれば、ロック機構は、棒状部材に埋設され、棒状部材から突出するロックピンと、ロックピンを付勢するスプリングと、筒状部材に設けられた孔と、筒状部材に設けられた押圧片とを有し、棒状部材のロックピンと筒状部材の孔とが対応するように棒状部材を位置させ、棒状部材のロックピンを付勢させて、棒状部材のロックピンを筒状部材の孔に挿入して、ロック状態となり、押圧片により棒状部材のロックピンを押圧し、棒状部材のロックピンを筒状部材の孔から外すと、ロック解除状態となるようにしている。これにより、棒状部材の筒状部材内での移動を簡単にロック状態又はロック解除状態に設定することができる。
【００２４】
また、本発明によれば、ロック機構は、楕円開口部を有し、筒状部材に回動自在に取り付けられた回動ロック部と、筒状部材に設けられたロックピンと、ロックピンを付勢するスプリングと、棒状部材に設けられた孔とからなり、楕円形開口部の短円の向きとロックピンの向きとが同方向となるように、回動ロック部材を回動させると、ロックピンが棒状部材の孔に挿入されてロック状態となり、回動ロック部材の短円の向きとロックピンの向きとが異なるように回動ロックを回動させると、ロックピンが棒状部材の孔から外れ、ロック解除状態となるようにしている。これにより、回動ロック部を回動させるだけで、棒状部材の筒状部材内での移動を簡単にロック状態又はロック解除状態に設定することができる。
【００２５】
また、本発明によれば、更に、先端側に着脱自在に被装するキャップ部を設けるようにしている。このため、アンカーを土中又は砂中に打ち込む際に、抜止部材が開くことがなくなり、アンカーが打ち込み易くなる。また、キャップ部を被装することで、アンカーの先端の先端が保護され、耐久性の向上が図れる。
【発明を実施するための最良の形態】
【００２６】
第１実施形態．
以下、本発明の実施の形態について図面を参照しながら説明する。図１（Ａ）〜図１（Ｃ）は、本発明の第１実施形態のアンカー１の構成を示すものである。
【００２７】
本発明の第１実施形態のアンカー１は、図１（Ａ）〜図１（Ｃ）に示すように、筒状部材１１と、筒状部材１１に挿通された棒状部材１２と、筒状部材１１の先端に枢支された抜止部材１３とを有している。そして、抜止部材１３は、図１（Ａ）に示すように、抜止部材１３が筒状部材１１の側壁に沿って折り返された状態と、図１（Ｂ）に示すように、抜止部材１３が筒状部材１１に対して所定の角度に折り曲げられた状態と、図１（Ｃ）に示すように、筒状部材１１と抜止部材１３とが一直線状になる状態とが取り得る。
【００２８】
本発明の第１実施形態のアンカー１は、ロックピン１４により、棒状部材１２の先端が筒状部材１１から突出される状態にロックして、アンカー１を土中又は砂中に埋め込んだ後、少し引き抜くように力を加えると、抜止部材１３が土中又は砂中で開いた状態となり、アンカー１を土中や砂中に強力に固定させることができる。ロック状態では、抜止部材１３の切込部２４の周縁が棒状部材１２に当接して、抜止部材１３の回動範囲が規制される。ロックピン１４を外して、棒状部材１２と筒状部材１１とのロックを解除し、棒状部材１２を持ち上げて、その先端を筒状部材１１に収納させると、抜止部材１３の回動の規制がなくなり、筒状部材１１と抜止部材１３とを一直線状にして、アンカー１を簡単に引き抜くことができる。
【００２９】
このような構造を有する本発明の第１実施形態のアンカー１について、以下、詳細に説明する。
【００３０】
図２は本発明の第１実施形態のアンカー１の分解斜視図である。図２において、筒状部材１１は、中空の円柱状の部材から形成される。筒状部材１１としては、鉄、銅、アルミニウム、真鍮等の金属製のパイプ部材の他、合成樹脂、グラスファイバ、カーボン樹脂等を用いることが可能である。筒状部材１１の先端の側面には、抜止部材１３を枢支するための孔２１ａ及び２１ｂが穿設される。また、筒状部材１１の側面には、ロックピン１４を挿入するための孔２２が穿設される。
【００３１】
棒状部材１２は、筒状部材１１に挿通自在に挿入される。棒状部材１２は、筒状部材１１の内径より小さい外径の円柱状の棒材から形成され、棒状部材１２の長さは、筒状部材１１の長さより少し長くなっている。棒状部材１２としては、鉄、銅、アルミニウム、真鍮等の金属製の部材の他、合成樹脂、グラスファイバ、カーボン樹脂等を用いることが可能である。棒状部材１２の先端１２ａは、尖鋭になるように加工されている。また、棒状部材１２の側面には、ロックピン１４を挿入するための孔２３が穿設される。
【００３２】
抜止部材１３は、断面Ｕ字状で、ショベル状に加工されている。抜止部材１３としては、鉄、銅、アルミニウム、真鍮等の金属製の部材の他、合成樹脂、グラスファイバ、カーボン樹脂等を用いることが可能である。抜止部材１３には、切込部２４が設けられ、切込部２４の両側縁から、取付部２５ａ及び２５ｂが延出される。取付部２５ａ及び２５ｂに、孔２６ａ及び２６ｂがそれぞれ穿設される。抜止部材１３は、リベット２７ａ及び２７ｂにより、筒状部材１１の先端に回動自在に枢支される。
【００３３】
なお、リベット２７ａ及び２７ｂの代わりに、ネジを用いるようにしても良い。また、抜止部材１３を付勢するスプリングを設け、抜止部材１３を、筒状部材１１の側壁に沿って折り返された状態に付勢させるようにしても良い。
【００３４】
棒状部材１２の頭部に、頭部部材１５が取り付けられる。頭部部材１５には、ロープを取り付けるための開口１６が形成されている。また、頭部部材１５の上面１５ａは、ハンマーで打ち込み易いように、平面となっている。
【００３５】
ロックピン１４は、棒状部材１２の動きをロックするロック機構となるもので、抜差自在となっている。ロック状態にする場合には、筒状部材１１の孔２２と、棒状部材１２の孔２３とが対応する位置となるように、筒状部材１１内での棒状部材１２の位置を保持し、孔２２と孔２３との間に連通して、ロックピン１４を挿入する。これにより、棒状部材１２の先端が筒状部材１１から突出した状態で、棒状部材１２の動きがロックされる。ロックを解除する場合には、ロックピン１４を取り外す。これにより、棒状部材１２は、筒状部材１１内で移動自在となる。
【００３６】
抜止部材１３は、筒状部材１１の先端に回動自在に枢支されているが、棒状部材１２の先端が筒状部材１１から突出する位置にロックされていると、図１（Ｂ）に示すように、抜止部材１３の切込部２４の周縁が棒状部材１２に当接し、抜止部材１３の回動が筒状部材１１に対して所定の角度となる位置で回動が規制される。
【００３７】
なお、抜止部材１３の回動規制角度は、アンカーを地中又は砂中に埋め込んだときに、アンカー１が容易に抜けない角度とすることが望まれる。この回動規制角度は、例えば、筒状部材１１に対して９０度以下の鋭角となる範囲が望ましい。
【００３８】
ロックピン１４を外すと、棒状部材１２と筒状部材１１とのロックが外れ、棒状部材１２が筒状部材１１に対して移動可能となる。ロックピン１４を外し、棒状部材１２を上に持ち上げると、筒状部材１１の先端が棒状部材１２内に収納される。棒状部材１２の先端が筒状部材１１内に収納されると、回動の規制が解除され、図１（Ｃ）に示すように、筒状部材１１と抜止部材１３とが一直線状（筒状部材１１に対して１８０度）になる状態まで、抜止部材１３を回動させることが可能となる。
【００３９】
図３は、本発明の第１実施形態の使用方法を示すものである。本発明の第１実施形態のアンカー１を土中又は砂中に打ち込むときには、図３（Ａ）に示すように、ロックピン１４を装着してロック状態とする、そして、頭部部材１５をハンマー２０で叩いて、アンカー１を土中又は砂中に埋め込む。
【００４０】
アンカー１が土中又は砂中に埋め込まれたら、図３（Ｂ）に示すように、アンカー１を少し引き抜くように力を加える。アンカー１を少し引き上げると、抜止部材１３に対して土や砂の抵抗力が働き、抜止部材１３は徐々に開くよう回動していく。前述したように、棒状部材１２の先端が筒状部材１１から突出している場合には、抜止部材１３が所定の角度の位置まで回動されると、抜止部材１３の切込部２４の周縁が棒状部材１２に当接し、この位置で、抜止部材１３の回動が規制される（図１（Ｂ）参照）。抜止部材１３が開いた状態では、抜止部材１３に対して土や砂の強い抵抗力が働くため、アンカー１を簡単に引き抜くことはできない。
【００４１】
アンカー１を引き抜くときには、図３（Ｃ）に示すように、ロックピン１４を外し、ロック解除状態とし、棒状部材１２を上に持ち上げ、棒状部材１２の先端を筒状部材１１内に収納する。前述したように、棒状部材１２の先端を筒状部材１１内に収納すると、抜止部材１３の回動の規制が外れる（図１（Ｃ）参照）。したがって、ロックピン１４を外し、棒状部材１２を上に持ち上げてから、アンカー１を引き抜くと、抜止部材１３に対しては土や砂の抵抗力を受け、図３（Ｃ）に示すように、筒状部材１１と抜止部材１３とが一直線状になる状態まで、抜止部材１３が回動する。筒状部材１１と抜止部材１３とが一直線状になる状態まで、抜止部材１３が回動すると、土や砂の抵抗力が殆どなくなり、アンカー１を簡単に引き抜くことができる。
【００４２】
以上説明したように、本発明の第１実施形態のアンカー１は、アンカー１を土中又は砂中に埋め込んだときには、抜止部材１３が土中又は砂中で開いた状態となり、アンカー１を土中や砂中に強力に固定させることができる。そして、ロックを解除し、棒状部材１２を持ち上げて、その先端を筒状部材１１に収納させると、筒状部材１１と抜止部材１３とを一直線状にして、アンカー１を簡単に引き抜くことができる。
【００４３】
第２実施形態．
図４（Ａ）及び図４（Ｂ）は、本発明の第２実施形態を示すものである。上述の第１実施形態では、図２に示したように、筒状部材１１の孔２２と棒状部材１２孔の２３とに連通して、ロックピン１４を挿入して、筒状部材１１の先端が棒状部材１２から突出する位置でロックするように、ロック機構を構成している。
【００４４】
これに対して、第２実施形態では、図４に示すように、棒状部材１２に設けられた孔３１と、筒状部材１１と直交して連通する筒状突出部３２と、筒状突出部３２に往動自在に装着されたロックピン３３と、ロックピン３３を付勢するスプリング３４とによりロック機構を構成するようにしている。ロックピン３３には、摘子３７が設けられる。
【００４５】
この第２実施形態では、棒状部材１２の孔３１と筒状突出部３２とが対応するように棒状部材１２を位置させると、ロックピン３３がスプリング３４で付勢され、ロックピン３３の先端が棒状部材１２の孔３１に挿入されて、図４（Ａ）に示すように、ロック状態となる。ロック状態では、摘子３７の底面のピン３６が筒状突出部３２の頭部の孔３５に嵌入され、ロック状態に保持される。
【００４６】
摘子３７を引き上げると、ロックピン３３の先端が棒状部材１２の孔３１から外れ、図４（Ｂ）に示すように、ロック解除状態となる。このとき、摘子３７を回転させると、摘子３７の底面のピン３６が筒状突出部３２の頭部の孔３５から外れ、ピン３６が筒状突出部３２の頭部に乗り上げた状態になり、ロック解除の状態に保持される。
【００４７】
第３実施形態．
図５（Ａ）及び図５（Ｂ）は、本発明の第３実施形態を示すものである。この実施形態では、前述の第２実施形態における棒状部材１２に孔３１の代わりに、棒状部材１２に溝部４１を設けるようにしたものである。
【００４８】
前述の第２実施形態では、ロック状態とするときに、棒状部材１２の孔３１と筒状部材１１の筒状突出部３２とが連通するように、棒状部材１２を回転させて向きを合わせる必要がある。
【００４９】
これに対して、この実施形態では、棒状部材１２に孔３１の代わりに溝部４１を設けるようにしている。このため、向き合わせ不要であり、棒状部材１２がどの角度に回転していても、ロックピン３３の先端を溝部４１に簡単に係合させることができる。他の構成については、前述の第２実施形態と同様であり、その説明を省略する。
【００５０】
第４実施形態．
図６（Ａ）及び図６（Ｂ）は、本発明の第４実施形態を示すものである。この実施形態では、図６に示すように、棒状部材１２に埋設され、棒状部材１２から突出するロックピン５１と、ロックピン５１を付勢するスプリング５２と、筒状部材１１に設けられた孔５３と、筒状部材に設けられた押圧片５４とから、ロック機構を構成するようにしている。
【００５１】
この第４実施形態では、棒状部材１２から突出するロックピン５１と筒状部材１１の孔５３とが対応するように棒状部材１２を位置させると、ロックピン５１が付勢されて、ロックピン５１の先端が孔５３に挿入されて、図６（Ａ）に示すように、ロック状態となる。押圧片５４を押すと、その下にあるロックピン５１が押圧され、ロックピン５１が孔５３から外れ、図６（Ｂ）に示すように、ロック解除状態となる。
【００５２】
第５実施形態．
図７は、本発明の第５実施形態を示すものである。この実施形態では、筒状部材１１に回動ロック部材７１が回動自在に取り付けられ、この回動ロック部材７１を回動させることで、ロック状態とロック解除状態とが設定できる。
【００５３】
図８（Ａ）及び図８（Ｂ）は、回動ロック部材７１の側面図及び底面図である。図８（Ａ）及び図８（Ｂ）に示すように、回動ロック部材７１は円形状の側面７４を有し、回転ロック部材７１の中心には円形状の開口７２が形成される。開口７２の直径は、筒状部材１１の外周の直径と対応している。開口７２の下方には、楕円形開口部７３が形成される。楕円形開口部７３の短円の径Ｄ１は、筒状部材１１の外周の直径と略々対応している。
【００５４】
図９及び図１０は、回動ロック部材７１を用いたロック機構の詳細を示すものである。図９に示すように、筒状部材１１の外周の一部に、Oリング７９が嵌合される。また、図１０に示すように、筒状部材１１には、孔７５が形成される。孔７５には、後で述べるように、ロックピン７６が挿入され、ロックピン７６は、スプリング７７により付勢される。
【００５５】
図９に示すように、筒状部材１１に回動ロック部材７１の開口７２を挿入し、回動ロック部材７１は筒状部材１１に対して回動自在に取り付けられる。回動ロック部材７１はその上下面においてＯリング７９で固定されている。一方、図１０に示すように、回動ロック部材７１は、筒状部材１１の孔７５に対応して、楕円形開口部７３内にロックピン７６が位置するように配置される。
【００５６】
本発明の第５実施形態では、回動ロック部材７１を回動させることで、以下に示すように、棒状部材１２の動きをロックさせることができる。
【００５７】
図１１は、ロック状態を示している。ロック状態のときには、図１１（Ｂ）に示すように、楕円形開口部７３の短円の向きＸとロックピン７６の向きとが同方向となるように、回動ロック部材７１が回動される。楕円形開口部７３の短円の向きＸとロックピン７６の向きとが一致しているときには、楕円形開口部７３の内壁とロックピン７６の頭部とが当接し、ロックピン７６が孔７８の内方に突出する。このため、図１１（Ａ）及び図１１（Ｂ）に示すように、ロックピン７６が棒状部材１２の孔７８内に挿入されて、棒状部材１２はロック状態となる。
【００５８】
図１２は、ロック解除状態を示している。ロック解除状態のときには、図１２（Ｂ）に示すように、楕円形開口部７３の短円の向きＸとロックピン７６の向きとが異なるように、回動ロック部材７１が回動される。楕円形開口部７３の短円の向きＸとロックピン７６の向きとが異なるときには、ロックピン７６がスプリング７７により付勢され、ロックピン７６が外側に突出する。このため、図１２（Ａ）及び図１２（Ｂ）に示すように、ロックピン７６が棒状部材１２の孔７８から外れ、ロック解除状態となる。
【００５９】
第６実施形態．
図１３は、本発明の第６実施形態のアンカー９１を示すものである。前述までの実施形態では、棒状部材１２の先端に、１つの抜止部材１３が回動自在に取り付けられる。これに対して、この実施形態では、棒状部材１２の先端に取付ブロック８１が取り付けられ、この取付ブロック８１に、２つの抜止部材１３ａ及び１３ｂが互いに対向して回動自在に取り付けられる。抜止部材１３ａ及び１３ｂは、図１３（Ａ）に示すように、抜止部材１３ａ及び１３ｂが筒状部材１１の側壁に沿って折り返された状態と、図１３（Ｂ）に示すように、抜止部材１３ａ及び１３ｂが筒状部材１１に対して所定の角度に折り曲げられた状態と、図１３（Ｃ）に示すように、筒状部材１１と抜止部材１３ａ及び１３ｂとが一直線状になる状態とを取り得る。
【００６０】
図１４は、本発明の第６実施形態の抜止部材１３ａ及び１３ｂの取り付け機構を示すものである。図１４に示すように、この実施形態では、２つの抜止部材１３ａ及び１３ｂを取り付けるための取付ブロック８１が用意される。取付ブロック８１には、螺刻された取付穴８２が形成されている。
【００６１】
抜止部材１３ａ、１３ｂは、断面Ｕ字状で、ショベル状に加工されている。抜止部材１３には、それぞれ切込部２４が設けられ、切込部２４の両側縁から、取付部２５ａ及び２５ｂが延出される。取付部２５ａ及び２５ｂに、孔２６ａ及び２６ｂがそれぞれ穿設される。切込部２４から舌片８３が延出されている。取付部２５ａ及び２５ｂに、孔２６ａ及び２６ｂがそれぞれ穿設される。抜止部材１３ａ及び１３ｂは、それぞれ、リベット２７ａ及び２７ｂにより、筒状部材１１の先端に回動自在に枢支される。
【００６２】
棒状部材１２の先端８４の外周は、螺刻されている。棒状部材１２の先端が取付ブロック８１の取付穴８２に挿入され、棒状部材１２の先端に、抜止部材１３ａ、１３ｂの取り付けられた取付ブロック８１が螺合される。
【００６３】
なお、この実施形態では、ロック機構については、前述の第１実施形態と同様となっている。すなわち、ロック状態にする場合には、ロックピン１４が挿入される。ロック状態では、棒状部材１２の先端が筒状部材１１から突出した状態で、棒状部材１２の動きがロックされる。棒状部材１２の先端が筒状部材１１から突出する位置にロックされていると、図１３（Ｂ）に示すように、抜止部材１３ａ及び１３ｂの舌片８３（図１４）の先端が棒状部材１２に当接し、抜止部材１３ａ及び１３ｂの回動が筒状部材１１に対して所定の角度となる位置で回動が規制される。
【００６４】
ロックを解除する場合には、ロックピン１４が外される、ロックが解除されると、棒状部材１２は、筒状部材１１内で移動自在となる。ロックが解除され、棒状部材１２が上に持ち上げられると、図１３（Ｃ）に示すように、抜止部材１３ａ及び１３ｂの回動の規制が解除され、筒状部材１１と抜止部材１３ａ、１３ｂとが一直線状（筒状部材１１に対して１８０度）になる状態まで、抜止部材１３ａ及び１３ｂを回動させることが可能となる。
【００６５】
第７実施形態．
図１５は、本発明の第７実施形態を示すものである。この実施形態では、棒状部材１２の先端に取付ブロック８１が取り付けられ、この取付ブロック８１に、２つの抜止部材１３ａ及び１３ｂが互いに対向して回動自在に取り付けられる。そして、この実施形態では、筒状部材１１に回動ロック部材７１が回動自在に取り付けられ、この回動ロック部材７１を回動させることで、ロック状態とロック解除状態とが設定できる。ロック機構については、第５実施形態と同様であるので、その説明を省略する。
【００６６】
第８実施形態．
図１６は、本発明の第８実施形態を示すものである。この実施形態では、アンカー１の先端側に着脱自在に被装するカップ状のキャップ部６１が設けられる。
【００６７】
アンカー１を土中又は砂中に打ち込むときに、図１６に示すようなキャップ部６１をアンカー１の先端に被装する。キャップ部６１を被装すると、アンカー１を土中又は砂中に打ち込む際に、抜止部材１３が開くことがなくなり、アンカー１が打ち込み易くなる。また、キャップ部６１を被装することで、アンカー１の先端の先端が保護され、耐久性の向上が図れる。
【００６８】
キャップ部６１を被装したアンカー１が土中又は砂中に埋め込まれたら、アンカー１を少し引き抜くように力を加える。アンカー１を少し引き上げると、キャップ部６１は地中又は砂中でアンカー１の先端から外れる。そして、前述した実施形態と同様に、アンカー１を少し引き抜くことにより、抜止部材１３が開いた状態となる。
【００６９】
キャップ部６１は地中又は砂中でアンカー１の先端から外れているため、アンカー１を引き抜くときには、前述した実施形態と同様に、ロックピン１４を外し、ロック解除状態とし、棒状部材１２を上に持ち上げ、棒状部材１２の先端を筒状部材１１内に収納する。これにより、筒状部材１１と抜止部材１３とが一直線状になり、アンカー１を簡単に引き抜くことができる。
【００７０】
本発明は、上述した実施形態に限定されるものではなく、この発明の要旨を逸脱しない範囲内で様々な変形や応用が可能である。例えば、本発明の第１実施形態では、抜止部材１３が１つであり、本発明の第６実施形態では、抜止部材１３ａ及び１３が２つであるが、これに限定されるものではなく、３個、４個、又はそれ以上の抜止部材を複数設けることができる。また、抜止部材の構成とロック機構の構成とは、どのように組み合わせても良い。
【産業上の利用可能性】
【００７１】
本発明は、テント用ペグとして利用可能な他、ビニルハウス等の構造物を支持するアンカーや自動販売機等を支持するためのアンカーとして、広く利用可能である。
【図面の簡単な説明】
【００７２】
【図１】本発明の第１実施形態のアンカーの構成を示す斜視図である。
【図２】本発明の第１実施形態のアンカーの構成を示す分解斜視図である。
【図３】本発明の第１実施形態のアンカーの使用方法の説明図である。
【図４】本発明の第２実施形態のアンカーの説明に用いる断面図である。
【図５】本発明の第３実施形態のアンカーの説明に用いる断面図である。
【図６】本発明の第４実施形態のアンカーの説明に用いる断面図である。
【図７】本発明の第５実施形態のアンカーの説明に用いる斜視図である。
【図８】本発明の第５実施形態のアンカーにおける回動ロック部材の側面図及び底面図である。
【図９】本発明の第５実施形態のアンカーにおける筒状部材と回動ロック部材との取り付けの説明に用いる分解斜視図である。
【図１０】本発明の第５実施形態のアンカーにおける筒状部材と回動ロック部材との取り付けの説明に用いる断面図である。
【図１１】本発明の第５実施形態のアンカーの説明に用いる断面図である。
【図１２】本発明の第５実施形態のアンカーの説明に用いる断面図である。
【図１３】本発明の第６実施形態のアンカーの構成を示す斜視図である。
【図１４】本発明の第６実施形態のアンカーにおける抜止部材の取り付けの説明に用いる分解斜視図である。
【図１５】本発明の第７実施形態のアンカーの構成を示す斜視図である。
【図１６】本発明の第８実施形態のアンカーの説明に用いる斜視図である。
【図１７】従来のテント用ペグの説明に用いる斜視図である。
【符号の説明】
【００７３】
１  アンカー
１１  筒状部材
１２  棒状部材
１３  抜止部材
１４  ロックピン
１５  頭部部材
２４  切込部
３２  筒状突出部
３３  ロックピン
３４  スプリング
３７  摘子
４１  溝部
５１  ロックピン
５２  スプリング
５４  押圧片
６１  キャップ部
７１  回動ロック部材
７２  開口
７３  楕円形開口部
７４  円形状の側面
７５  孔
７６  ロックピン
７７  スプリング
７８  孔
７９  凹部
８１  取付ブロック
８２  取付穴
８３  舌片
８４  棒状部材の先端
９１  アンカー
【図１】
2007284968.tif 000003
【図２】
2007284968.tif 000004
【図３】
2007284968.tif 000005
【図４】
2007284968.tif 000006
【図５】
2007284968.tif 000007
【図６】
2007284968.tif 000008
【図７】
2007284968.tif 000009
【図８】
2007284968.tif 000010
【図９】
2007284968.tif 000011
【図１０】
2007284968.tif 000012
【図１１】
2007284968.tif 000013
【図１２】
2007284968.tif 000014
【図１３】
2007284968.tif 000015
【図１４】
2007284968.tif 000016
【図１５】
2007284968.tif 000017
【図１６】
2007284968.tif 000018
【図１７】
2007284968.tif 000019